(57)【特許請求の範囲】
【請求項１】
レンズを保持する金属製のフロントフレームと、このフロントフレームの両側に設けられた鎧部にそれぞれ配設され、中央部が内方に湾曲するとともに、弾性を有している弾性体と、この弾性体の前記フロントフレームと反対側にそれぞれ設けられたテンプルとから構成した眼鏡フレームであって、
前記弾性体は、棒状をなす一端部が前記鎧部の外周面に巻き付けられた状態で回動不能に取り付けられ、
前記弾性体と前記テンプルとは丁番を介して回動可能に取り付けられているとともに、所定以上に回動するのは阻止されていることを特徴とする眼鏡フレーム。
【発明の詳細な説明】
【技術分野】
【０００１】
この発明はレンズの周囲を保持するフロントフレームの両側に設けられた鎧部に弾性体を介してテンプルを取り付けた眼鏡フレームに関するものである。
【背景技術】
【０００２】
一般に眼鏡のフレームにあっては、特許文献１に示すようなフルリムタイプのものや、ハーフリムタイプ、ツーポイントタイプのものが存在する。そして、左右レンズを取り付けるリムの外側にはそれぞれ鎧部を介して使用者の頭部の側部に当接するテンプルが所定の拡開状態から内方に回動可能に取り付けられていて、折り畳み可能となっている。
【０００３】
上記のように構成されている一般的な眼鏡フレームにあっては、最大に外方に回動して停止した状態、すなわち最大拡開状態でテンプルが使用者の頭部の耳部の両側から挟んで使用者が使用しており、使用者の頭部の幅の大きさに応じて、主にテンプルの反り状態を調整したりして使用中に使用者がきつく感じないようにしていた。
【０００４】
しかしながら、上記のような従来の眼鏡フレームにあっては、主にテンプルの反り状態を調整することで使用者に最適な状態を確保しようとしているが、テンプルは鎧部と一体になっているので、テンプルの調整がリムに取り付けてある鎧部に影響を与えてしまうという問題があった。
しかも、調整は主にテンプルを調整することで行うので、どうしてもテンプルの鎧部側を変位しない状態でテンプルを湾曲させることになり、使用者の頭部にはテンプルの内面の一部が点状に当接する調整になって頭部への当接力が大きくなり、頭部に苦痛が生じる恐れがあるという問題点も有していた。
【特許文献１】特開２００３−４３４２７号公報（図１参照）
【発明の開示】
【発明が解決しようとする課題】
【０００５】
この発明は、所定の拡開状態よりも内方に折り畳み可能となっているテンプルを、弾性体を介して鎧部に連結させてテンプル全体を弾性体によって変位可能としたので、眼鏡を掛けたり外したりする時にテンプルの一方あるいは双方が拡がってテンプル間が拡がってしまって装着感が悪くなり、掛けている時にずれたり、あるいは傾斜したりする恐れを防止できる。
また、テンプル全体を弾性体によって変位可能としたので、使用者の頭部に対してテンプルの内面の一部が当接するのではなく面状で当接するようにできて使用者の頭部に対して小さい当接力が作用するようにして装着感を小さくして頭部に苦痛が生じる恐れを無くする眼鏡フレームを提供することを目的とする。
【課題を解決するための手段】
【０００６】
この発明は、レンズを保持する金属製のフロントフレームと、このフロントフレームの両側に設けられた鎧部にそれぞれ配設され、中央部が内方に湾曲するとともに、弾性を有している弾性体と、この弾性体の前記フロントフレームと反対側にそれぞれ設けられたテンプルとから構成した眼鏡フレームであって、前記弾性体は、棒状をなす一端部が前記鎧部の外周面に巻き付けられた状態で回動不能に取り付けられ、前記弾性体と前記テンプルとは丁番を介して回動可能に取り付けられているとともに、所定以上に回動するのは阻止されている手段を採用したものである。
【発明の効果】
【０００７】
この発明の眼鏡フレームにあっては、リムの外側に取り付けられた鎧部に弾性体を介して所定の拡開状態よりも内方に折り畳み可能となっているテンプルを連結し、これによりテンプルが変位するだけでなくテンプル全体が弾性体によって変位可能となったので、眼鏡を掛けたり外したりする時にテンプルの一方あるいは双方が拡がってテンプル間が拡がってしまって装着感が悪くなり、掛けている時に下がったり、あるいは傾斜したりする恐れを防止できる。
また、テンプル全体を弾性体によって変位可能としたので、使用者の頭部に対してテンプルの内面の一部が当接するのではなく面状で当接するようになった。これにより使用者の頭部に対して当接力が小さくなるようにして装着感を少なくし、使用中に使用者の頭部に苦痛が生じる恐れを無くすことができる。
さらに、テンプル本体が弾性を有している場合には上記の場合よりもさらに頭部への当接が柔らかくなるので、使用者の頭部に対して当接力が小さくなるようにして装着感を少なくし、使用中に使用者の頭部に苦痛が生じる恐れを無くすことができる。
さらに、弾性体を中央部が内方に湾曲させた形状としたので、テンプルを拡げた時に弾性体自体が変形し難くなる。
【発明を実施するための最良の形態】
【０００８】
以下、図面に示すこの発明の実施例について説明する。
図１にはこの発明による眼鏡フレーム１の概略平面図が、図２には概略正面図が、そして図３には斜め上方から見た概略図がそれぞれ示されており、さらに図４にはリムと鎧部と弾性体とテンプルとの連結状態の概略図が示されている。
【０００９】
この眼鏡フレーム１はフルリムタイプであって、左右一対のレンズ２、２が取り付けられているとともに、ブリッジ４で連結され、フロントフレームを形成するリム３、３と、このリム３、３の外側端に設けられてレンズ２、２を交換等する時にリム３、３を開放するとともに、レンズ２、２を位置した後にはレンズ２、２の外周を挟持するように固定する鎧部５、５と、この鎧部５、５に連結される弾性体６、６と、この弾性体６、６に連結されるとともに、使用者の頭部の耳部の上部を押圧し、その部位を挟持するようになっているテンプル７、７とを具えている。
【００１０】
前記リム３、３の両側の鎧部５、５には図の下側から螺合するねじ８、８が設けられ、このねじ８、８の螺合状態に応じてリム３、３を開放可能であり、開放した時に内部にレンズ２、２を位置し、こののち締め付けることでレンズ２、２を固定することができる。
【００１１】
前記リム３、３の両側に設けられた鎧部５、５には、中央部が内方に逆Ｕ字状に湾曲した弾性体６、６がそれぞれ連結され、この弾性体６、６には丁番１０、１０を介して、前記両テンプル７、７が取り付けられている。したがって、前記丁番１０、１０によって前記テンプル７、７は図に示す最大限に開放した位置とこの位置から内方に折り畳んだ位置との間を折り畳み可能となっている。
なお、９、９は使用者の鼻の両側に当接するノーズパッド、１１、１１はテンプル７、７の先端に設けられたモダンである。
【００１２】
上記のように構成された眼鏡フレーム１において、まず、折り畳んだ状態から両テンプル７、７を拡開して図示の状態とし、使用者が使用し得る状態とする。
そして、使用者が使用を開始するために両テンプル７、７間に頭部を挿入、すなわち使用者の頭部の両耳部の上側間を両テンプル７、７で挟持させる。
【００１３】
この挟持時には両テンプル７、７を拡開するとテンプル７、７が丁番１０、１０を支点として拡開するだけではなく、丁番１０、１０と連結して内方に湾曲している弾性体６、６を変位させることになる。
【００１４】
すなわち、拡開状態の両テンプル７、７間を頭部よりも狭くしておくことで、弾性体６、６のうちの鎧部５、５との反対側の部分を弾性変形させることと、弾性体６、６に設けた丁番１０、１０を支点としてテンプル７、７が外方に変位することとが相俟ってテンプル７、７自体が使用者の頭部に面状に当接することになる。
【００１５】
したがって、一般的な眼鏡フレームの場合のようにテンプル７、７の一部が頭部と当接してその部分の頭部に大きな力を作用させて使用者が強い装着感を感じるのと異なって、テンプル７、７が面状に当接してその部分の頭部に小さい力が作用するので長時間に渡って使用しても使用者が強い装着感を感じることがない。しかも、確実に使用者の頭部を挟持しているので使用中にずれたり落下したりする恐れは全く無いものである。
【００１６】
なお、前記実施の形態においては、フルリムタイプの眼鏡フレームを示したが、これに限定することなく、ハーフリムタイプ、ツーポイントタイプであっても良く、内方に湾曲した弾性体６、６およびこの弾性体６、６に丁番１０、１０を介して連結したテンプル７、７を採用することで使用者の頭部に面状に当接して小さい作用力で確実に挟持することになる。したがって、使用者が長時間に渡って使用した時であっても苦痛に感じる恐れが全く無いものである。
【図面の簡単な説明】
【００１７】
【図１】この発明による眼鏡フレームの概略平面図である。
【図２】この発明による眼鏡フレームの概略正面図である。
【図３】この発明による眼鏡フレームを斜め上方から見た概略図である。
【図４】この発明による眼鏡フレームのリムと鎧部と弾性体とテンプルとの連結状態を示す概略図である。
【符号の説明】
【００１８】
１……眼鏡フレーム
２……レンズ
３……リム
４……ブリッジ
５……鎧部
６……弾性体
７……テンプル
８……ねじ
９……ノーズパッド
１０……丁番
１１……モダン
【図１】
0004824474.tif 000002
【図２】
0004824474.tif 000003
【図３】
0004824474.tif 000004
【図４】
0004824474.tif 000005